(57)【要約】【課題】  ＴＳデータに含まれるＴＳパケットデータを可能な限り有効利用するとともに、ミュートデータとの切替時に発生する、再生される映像や音声の乱れを抑制すること。【解決手段】  デマルチプレクサ部４０において、ミュート出力回路４３は、適応エラー処理回路４２から入力される、受信信号のＢＥＲＳ１と受信信号中のエラー有無を示すエラーフラグＳ２とに基づいて生成された切替制御信号Ｓ３に基づいて、受信信号を復調したＴＳデータＤ２とミュートデータとを切り替え、ＴＳデータＤ３として出力する。適応フィルタ回路４４は切替制御信号Ｓ３に基づき、ＴＳデータＤ４として、ミュート出力回路４３によるミュートデータとの切替時には高次フィルタを通過させたデータを出力し、ミュートデータが出力されている間は低次フィルタに通過させたデータを出力する。【選択図】  図１
2006261760.tif 000002
【特許請求の範囲】
【請求項１】
受信した直交変調信号を復調する復調手段と、
受信した直交復調信号の誤り率を算出する誤り率算出手段と、
この誤り率算出手段により算出された誤り率に基づいて前記直交変調信号に含まれるデータ信号が誤りか否かを判定する誤り判定手段と、
前記誤り率算出手段により算出された誤り率と予め定められた基準値とを比較する比較手段と、
この比較手段によって比較した結果前記算出された誤り率が前記基準値より高く、且つ、前記誤り判定手段によって前記直交変調信号に含まれるデータ信号が誤りであると判定された際に、前記復調手段によって復調された直交変調信号をミュートデータに切り替える切替信号を出力する切替制御手段と、
この切替制御手段によって切替信号が出力された際に前記復調手段によって復調された直交変調信号をミュートデータに切り替えて出力する出力制御手段と、
この出力制御手段から出力されるデータ信号をフィルタするフィルタ手段と、
から構成されることを特徴とする受信回路。
【請求項２】
前記フィルタ手段は、
高い次数から成る高次フィルタと、
この高次フィルタより次数の低い低次フィルタと、
前記切替制御手段から出力される切替信号に基づいて、当該切替信号の切替開始時と切替終了時は前記高次フィルタを選択し、前記切替信号が出力されている間は前記低次フィルタを選択する選択手段と、
を備え、
前記選択手段によって選択されたフィルタによりフィルタされた、前記出力制御手段から出力されたデータ信号を出力することを特徴とする請求項１記載の受信回路。
【発明の詳細な説明】
【技術分野】
【０００１】
本発明は、直交変調信号を受信する受信回路に関する。
【背景技術】
【０００２】
現在、デジタルテレビ放送では、ＢＳ（Broadcasting Satellite）を用いたＢＳデジタル放送や、ＣＳ（Communication Satellite）を用いたＣＳデジタル放送が普及している。また、地上波デジタルテレビ放送が２００３年１２月より開始され、地上波アナログテレビ放送から地上波デジタルテレビ放送への移行段階にある。地上波デジタルテレビ放送では、変調方式としてＯＦＤＭ（Orthogonal Frequency Division Multiplexing：直交周波数分割多重化方式）方式が用いられているため、複数の電波（具体的には、映像や音声、データ放送等）が多重化して送信されている。
【０００３】
この地上波デジタルテレビ放送を移動体の受信装置で受信する場合、固定受信と比較して受信エラーが発生しやすい。そこで、情報の誤り率を向上させるための技術として、ＦＦＴ演算後の振幅変調信号からＳＰ信号を抽出し、抽出したＳＰ信号を時間方向に補正するとともに周波数方向に補正する技術が知られている（例えば、特許文献１参照）。
【０００４】
図８に、ＯＦＤＭ方式で変調された地上波デジタルテレビ放送の電波を受信する従来の受信装置３のブロック構成図の一例を示す。同図に示すように、従来の受信装置３は、電波を受信するアンテナ１０と、アンテナ１０で受信された電波を増幅し所望の放送周波数への同調を行うチューナ部２０と、チューナ部２０から入力された信号に対してデジタル復調や誤り訂正等の処理を行いＴＳ（Transport Stream）データを抽出する復調部６０と、抽出されたＴＳデータのエラー部分を破棄するデマルチプレクサ部７０と、デマルチプレクサ部７０から入力されたＴＳデータから映像信号及び音声信号をデコードして抽出するデコーダ回路５０とを備えて構成される。
【０００５】
従来の受信装置３では、先ず、直交変調信号であるＯＦＤＭ信号がアンテナ１０で受信され、アンテナ１０で受信された受信信号がチューナ部２０に入力される。チューナ部２０は、入力された受信信号から、ユーザによって選択された放送局の周波数帯域の信号を抽出し、復調部６０に出力する。
【０００６】
復調部６０は、チューナ部２０から入力されたアナログ信号である放送波信号のデジタル信号への変換、直交検波、ＦＦＴ（Fast Fourier Transform）演算処理、波形等価処理、誤り訂正処理等を行ってデータを復調し、ＴＳデータとして出力する。
【０００７】
ここで、復調部６０により復調されたデータは、固定長のＴＳパケットデータに変換され、変換されたＴＳパケットデータが連続してＴＳデータとして出力される。図９に、ＴＳパケットデータの構造の一例を示す。同図に示すように、ＴＳパケットデータは、２０４バイトの固定長パケットであり、１８８バイトのパケットデータに１６バイトのパリティデータが付加されて構成されている。また、ＴＳパケットデータが正常に復調されている場合、パケットデータの先頭バイトに同期データがセットされる。
【０００８】
図８において、デマルチプレクサ部７０は、同期回路７１と、エラー認定回路７２と、遅延回路７３と、切替回路７４と、フィルタ回路７５とを備え、復調部６０から入力されたＴＳデータに対する所定のデータ処理を行う。
【０００９】
同期回路７１は、復調部６０から入力されたＴＳデータに含まれる各ＴＳパケットデータに基づいて同期判定信号を生成し、エラー認定回路７２に出力する。具体的には、入力されたＴＳデータから各ＴＳパケットデータの先頭バイトに設定されている同期データを検出し、同期データを検出すると、同期判定信号をエラー認定回路７２に出力する。全てのＴＳパケットデータの先頭バイトに同期データが設定されている場合には、一定周期（具体的には、１パケットに相当する２０４バイト。この周期を「パケット周期」という）で同期データを検出することとなる。また、同期回路７１は、検出した同期データから１パケットに相当する所定バイト（具体的には、２０４バイト）を１つのＴＳパケットデータとして遅延回路７３に出力する。
【００１０】
エラー認定回路７２は、同期回路７１から入力された同期判定信号に基づいて、同期が確立されている状態（同期状態）であるか、確立されていない状態（非同期状態）であるかを判定し、非同期状態である場合にはエラー信号を出力する。ここで、同期が確立されている状態（同期状態）とは、同期判定信号が入力される周期がパケット周期と一致（同期）している状態である。エラー認定回路７２は、同期判定信号がパケット周期で所定回数（例えば、２回）以上連続して入力された場合には、同期状態と判定してエラー信号を出力せず、所定回数以上連続して入力されていない場合には、非同期状態と判定してエラー信号を出力する。
【００１１】
遅延回路７３は、同期回路７１から出力されたＴＳパケットデータと、当該ＴＳパケットデータに基づくエラー判定信号とが切替回路７４に入力されるタイミングを一致させるため、同期回路７１から入力されたＴＳパケットデータを所定時間遅延させて出力する。
【００１２】
切替回路７４は、エラー認定回路７２から入力されるエラー信号に基づいて、遅延回路７３から入力されたＴＳパケットデータとミュートデータとを切り替えて出力する。具体的には、エラー信号が入力されていない間は、遅延回路７３から入力されたＴＳパケットデータをそのままフィルタ回路７５に出力し（スルー出力）、エラー信号が入力されている間は、遅延回路７３から入力されたＴＳパケットデータの替わりにミュートデータをフィルタ回路７５に出力する（ミュート出力）。ここで、ミュートデータとは、例えば値が「００」（信号レベルがＬｏｗレベル）のデータのことである。
【００１３】
フィルタ回路７５は、選択されている放送局の周波数帯域に応じた伝送特性のフィルタを有し、切替回路７４から入力されたＴＳパケットデータを、このフィルタに透過（通過）させて出力する。
【００１４】
デコーダ回路５０は、フィルタ回路７５から入力されるＴＳパケットデータをデコードし、映像信号及び音声信号をそれぞれ復号して出力する。ここで、デコード方式としては、例えばＨ．２６４方式やＭＰＥＧ４方式等、何れの方式であっても良い。
【特許文献１】特開２００２−３４４４１０号公報
【発明の開示】
【発明が解決しようとする課題】
【００１５】
図８に示した従来の受信装置３では、受信エラーが発生すると、デマルチプレクサ部７０においてＴＳデータからミュートデータに切り替えられるが、この切替時には出力データが急峻に変化するため、再生される映像や音声に乱れが発生する。特に移動体の受信装置で受信する場合、固定受信と比較して受信エラーが頻繁に発生する場合が起こり得、その場合にはミュートデータとの切り替えが頻繁に発生することとなり、スムーズな再生が実現されないという問題が発生していた。
【００１６】
上記事情に鑑み、本発明は、ＴＳデータに含まれるＴＳパケットデータを可能な限り有効利用するとともに、ミュートデータとの切替時に発生する、再生される映像や音声の乱れを抑制することを目的としている。
【課題を解決するための手段】
【００１７】
上記課題を解決するために、請求項１に記載の発明の受信回路（例えば、図１の受信装置１）は、
受信した直交変調信号を復調する復調手段（例えば、図１の復調回路３５）と、
受信した直交復調信号の誤り率を算出する誤り率算出手段（例えば、図１の誤り率算出回路３４）と、
この誤り率算出手段により算出された誤り率に基づいて前記直交変調信号に含まれるデータ信号が誤りか否かを判定する誤り判定手段（例えば、図１のエラー判定回路３６）と、
前記誤り率算出手段により算出された誤り率と予め定められた基準値とを比較する比較手段（例えば、図２の比較器４２１）と、
この比較手段によって比較した結果前記算出された誤り率が前記基準値より高く、且つ、前記誤り判定手段によって前記直交変調信号に含まれるデータ信号が誤りであると判定された際に、前記復調手段によって復調された直交変調信号をミュートデータに切り替える切替信号を出力する切替制御手段（例えば、図２の論理回路４２３）と、
この切替制御手段によって切替信号が出力された際に前記復調手段によって復調された直交変調信号をミュートデータに切り替えて出力する出力制御手段（例えば、図１のミュート出力回路４３）と、
この出力制御手段から出力されるデータ信号をフィルタするフィルタ手段（例えば、図１の適応フィルタ回路４４）と、
から構成されることを特徴としている。
【００１８】
請求項２に記載の発明は、請求項１に記載の発明の受信回路であって、
前記フィルタ手段は、
高い次数から成る高次フィルタ（例えば、図４の高次フィルタ４４２）と、
この高次フィルタより次数の低い低次フィルタ（例えば、図４の低次フィルタ４４３）と、
前記切替制御手段から出力される切替信号に基づいて、当該切替信号の切替開始時と切替終了時は前記高次フィルタを選択し、前記切替信号が出力されている間は低次フィルタを選択する選択手段（例えば、図４の選択回路４４５）と、
を備え、
前記選択手段によって選択されたフィルタによりフィルタされた、前記出力制御手段から出力されたデータ信号を出力することを特徴としている。
【発明の効果】
【００１９】
請求項１に記載の発明によれば、受信した直交変調信号の誤り率が予め定められた基準値より高く、且つ、直交変調信号に含まれるデータ信号が誤りと判定された際に、復調された直交変調信号がミュートデータに切り替えて出力される。従って、単にデータ信号の誤りの有無ではなく、誤りの程度を示す誤り率を考慮してデータ信号をミュートデータに切り替えるので、データ信号を有効利用することが可能となる。
【００２０】
請求項２に記載の発明によれば、切替信号の切替開始時と切替終了時は、高次フィルタによりフィルタされたデータ信号が出力され、切替信号が出力されている間は、低次フィルタによりフィルタされたデータ信号が選択されて出力される。即ち、データ信号とミュートデータとの切替時には、高次フィルタを通過させたデータ信号が出力されるので、この切替時に出力データが不連続となることを抑制し、再生される映像及び音声の乱れを抑制することが可能となる。更に、ミュートデータが出力されている間は低次フィルタを透過させたデータ信号が出力されるといったように、次数が異なるフィルタを通過させたデータ信号が順に選択されるので、ミュートデータとの切り替えに伴う出力データの不連続性をより効率良く抑制可能となる。
【発明を実施するための最良の形態】
【００２１】
以下、図面を参照して、本発明に好適な実施形態を説明する。尚、以下では、ＯＦＤＭ方式のデジタル放送の電波を受信する受信装置に本発明を適用した場合を説明するが、本発明の適用可能な実施形態がこれに限定されるものではない。
【００２２】
図１は、本実施形態の受信装置１の構成を示すブロック図である。尚、同図において、図８に示した従来の受信装置３と同一の回路要素については同一の符号を付している。図１によれば、受信装置１は、アンテナ１０と、チューナ部２０と、復調部３０と、デマルチプレクサ部４０と、デコーダ回路５０とを備えている。
【００２３】
復調部３０は、ＡＤＣ（Analog to Digital Converter）３１と、直交検波回路３２と、ＦＦＴ回路３３と、復調回路３５と、エラー判定回路３６とを備えている。
【００２４】
ＡＤＣ３１は、チューナ部２０から入力されたアナログ信号である放送波信号をデジタル信号に変換して出力する。
直交検波回路３２は、ＡＤＣ３１から入力された信号を、所定周波数のキャリア信号を用いて直交復調し、時間領域のＯＦＤＭ信号に再生して出力する。
【００２５】
ＦＦＴ回路３３は、直交検波回路３２から入力された時間領域のＯＦＤＭ信号に対してＦＦＴ演算処理を行い、周波数領域のＯＦＤＭ信号に変換して出力する。この周波数領域のＯＦＤＭ信号は、例えば１６ＱＡＭ方式や６４ＱＡＭ方式により直交振幅変調されている信号である。
【００２６】
また、ＦＦＴ回路３３は誤り率算出回路３４を含んでいる。この誤り率算出回路３４は、ＦＦＴ演算後の周波数領域のＯＦＤＭ信号についてのＢＥＲ（ビットエラーレイト）Ｓ１を算出する。
【００２７】
復調回路３５は、ＦＦＴ回路３３から入力された周波数領域のＯＦＤＭ信号を、それに含まれる同期信号（例えば、ＳＰ信号）を利用して波形等価処理し、誤り訂正処理を行った後、データを復調してＴＳデータＤ１として出力する。
【００２８】
エラー判定回路３６は、ＦＦＴ回路３３から入力されたＢＥＲ（Ｓ１）に基づいて受信信号中のエラー（誤り）の有無を判定し、判定結果をエラーの有無を示すエラーフラグＳ２として出力する。具体的には、ＢＥＲ（Ｓ１）の値が所定値以上である場合にはエラー有りと判定し、そうでない場合にはエラー無しと判定する。
【００２９】
デマルチプレクサ部４０は、同期処理回路４１と、適応エラー処理回路４２と、ミュート出力回路４３と、適応フィルタ回路４４とを備え、復調部３０から入力されたＴＳデータＤ１に対する所定のデータ処理を行う。
【００３０】
同期処理回路４１は、復調回路３５から入力されたＴＳデータＤ１に対する同期処理を行い、ＴＳデータＤ２を出力する。即ち、ＴＳデータＤ１から各ＴＳパケットデータの先頭バイトに設定されている同期データを検出し、検出した同期データから１パケットに相当する所定バイト（具体的には、２０４バイト）のデータを１つのＴＳパケットデータとして出力する。
【００３１】
適応エラー処理回路４２は、ＦＦＴ回路３３から入力されたＢＥＲ（Ｓ１）及びエラー判定回路３６から入力されたエラーフラグＳ２を基に、ミュート出力回路４３の出力切り替えを制御する切替制御信号Ｓ３を生成して出力する。具体的には、エラーフラグＳ２がエラー有りを示し、且つ、ＢＥＲ（Ｓ１）の値が予め定められた基準値より大きい場合に、切替制御信号Ｓ３を、ミュートデータへの切り替えを指示する信号とする。
【００３２】
ミュート出力回路４３は、適応エラー処理回路４２から入力された切替制御信号Ｓ３に基づいて、同期処理回路４１から入力されたＴＳデータＤ２とミュートデータとを切り替え、ＴＳデータＤ３として出力する。
【００３３】
図２に、適応エラー処理回路４２の詳細な回路構成を示す。同図によれば、適応エラー処理回路４２は、比較器４２１と、論理回路４２３とを備えている。
【００３４】
比較器４２１は、ＦＦＴ回路３３から入力されたＢＥＲ（Ｓ１）の値と、該比較器４２１が有する不図示のメモリに予め記憶されている基準値４２２とを比較し、比較結果に応じた信号Ｓ１０を出力する。具体的には、ＢＥＲ（Ｓ１）の値が基準値４２２以上である場合（エラー発生が基準以上の場合）には信号Ｓ１０のレベルをＬｏｗレベルとし、ＢＥＲ（Ｓ１）の値が基準値４２２未満である場合（エラー発生が基準未満の場合）には信号Ｓ１０のレベルをＨｉｇｈレベルとする。
【００３５】
論理回路４２３は、比較器４２１から入力された信号Ｓ１０と、エラー判定回路３６から入力されたエラーフラグＳ２とを論理演算し、演算結果を切替制御信号Ｓ３として出力する。具体的には、エラーフラグＳ２及び信号Ｓ１０の両レベルがＬｏｗレベルである場合には、切替制御信号Ｓ３のレベルを、ミュートデータへの切り替えを指示するＬｏｗレベルとし、そうでない場合には、切替制御信号Ｓ３のレベルをＨｉｇｈレベルとする。
【００３６】
適応エラー処理回路４２の具体的な回路動作を、図３のタイムチャートを参照して説明する。同図は、適応エラー処理回路４２に係る各信号のタイムチャートを示しており、図中上から順に、エラーフラグＳ２、信号Ｓ１０、切替制御信号Ｓ３、ミュート出力回路４３から出力されるＴＳデータＤ３、である。
【００３７】
同図に示すように、受信エラーが発生していない場合、エラーフラグＳ２はＨｉｇｈレベルであり、ＢＥＲ（Ｓ１）が基準値４２２未満であるので、比較器４２１は信号Ｓ１０をＨｉｇｈレベルとする。従って、論理回路４２３は切替制御信号Ｓ３をＨｉｇｈレベルとし、ミュート出力回路４３は、入力されたＴＳデータＤ２をそのままＴＳデータＤ３として出力する（スルー出力）。
【００３８】
次いで、時刻ｔ1において、受信エラーの発生によりエラーフラグＳ２がＬｏｗレベルに変化すると、比較器４２１はＢＥＲ（Ｓ１）の値が基準値４２２より小さい間は信号Ｓ１０をＨｉｇｈレベルのままとする。従って、論理回路４２３は切替制御信号Ｓ３をＨｉｇｈレベルのままとする。
【００３９】
そして、時刻ｔ2において、ＢＥＲ（Ｓ１）の値が基準値４２２以上となると、比較器４２１は信号Ｓ１０をＬｏｗレベルに変化させ、これに伴って、論理回路４２３が切替制御信号Ｓ３をＬｏｗレベルに変化させる。従って、ミュート出力回路４３は、出力するＴＳデータＤ３を、ＴＳデータＤ２からミュートデータに切り替える（ミュート出力）。
【００４０】
その後、時刻ｔ3において、受信信号中に含まれるエラーの程度が減少し、ＢＥＲ（Ｓ１）の値が小さくなって基準値４２２未満となると、比較器４２１は信号Ｓ１０をＨｉｇｈレベルに変化させる。すると、論理回路４２３は切替制御信号Ｓ３をＨｉｇｈレベルに変化させ、ミュート出力回路４３は、ＴＳデータＤ３を、ミュートデータから入力されたＴＳデータＤ２に切り替えて出力する。
【００４１】
更に、時刻ｔ4において、エラーの発生が無くなり、エラーフラグＳ２がＨｉｇｈレベルに変化すると、ＢＥＲ（Ｓ１）の値は基準値４２２より小さいので、信号Ｓ１０及び切替制御信号Ｓ３は変化せずＨｉｇｈレベルのままであり、ＴＳデータＤ３としてＴＳデータＤ２が出力され続ける。
【００４２】
図１において、適応フィルタ回路４４は、適応エラー処理回路４２から入力された切替制御信号Ｓ３に基づいて、ミュート出力回路４３から入力されたＴＳデータＤ３を所定の次数のフィルタでフィルタリングし、ＴＳデータＤ４として出力する。
【００４３】
図４に、適応フィルタ回路４４の詳細な回路構成を示す。同図によれば、適応フィルタ回路４４は、遅延回路４４１と、高次フィルタ４４２と、低次フィルタ４４３と、制御パルス生成回路４４４と、選択回路４４５とを備えている。
【００４４】
遅延回路４４１は、ミュート出力回路４３から入力されたＴＳデータＤ３を所定時間遅延させ、ＴＳデータＤ１２として出力する。この遅延回路４４１は、高次フィルタ４４２及び低次フィルタ４４３それぞれによるデータ遅延と同程度遅延させるよう、設計されている。従って、遅延回路４４１、高次フィルタ４４１及び低次フィルタ４４２それぞれからのデータ出力は、何れも、入力されるＴＳデータＤ３に対して同程度遅延されるものである。
【００４５】
高次フィルタ４４２及び低次フィルタ４４３は、何れも、選択されている放送局の周波数帯域に応じた伝送特性のフィルタであり、高次フィルタ４４２の方が、低次フィルタ４４３よりその次数が高くなっている。高次フィルタ４４２は、ミュート出力回路４３から入力されたＴＳデータＤ３をフィルタリングし、ＴＳデータＤ１３として出力する。また、低次フィルタ４４３は、ミュート出力回路４３から入力されたＴＳデータＤ３をフィルタリングし、ＴＳデータＤ１４として出力する。
【００４６】
制御パルス生成回路４４４は、適応エラー処理回路４２から入力された切替制御信号Ｓ３に基づいて、選択回路４４５が選択して出力する信号を指定する制御パルスＳ１０２，Ｓ１０３，Ｓ１０４を生成して出力する。
【００４７】
図５に、制御パルス生成回路４４４の詳細な回路構成を示す。同図によれば、制御パルス生成回路４４４は、カウンタ４４４ａ，４４４ｂ，４４４ｃを備えている。カウンタ４４４ａ，４４４ｂ，４４４ｃは、それぞれ、入力された切替制御信号Ｓ３のレベル変化を開始タイミングとして内部クロックに基づいたカウントを開始し、カウント値が所定値に達したタイミングで、出力する制御パルスのレベルを変化させる。
【００４８】
カウンタ４４４ａは、高次フィルタ４４２から出力されるＴＳデータＤ１３の選択を指定する制御パルスＳ１０２を生成し、カウンタ４４４ｂは、低次フィルタ４４３から出力されるＴＳデータＤ１４の選択を指定する制御パルスＳ１０３を生成し、カウンタ４４４ｃは、遅延回路４４１から出力されるＴＳデータＤ１２の選択を指定する制御パルスＳ１０４を生成する。尚、具体的な回路動作は後述するが、カウンタ４４４ａ，４４４ｂ，４４４ｃそれぞれによって生成される制御パルス１０２，１０３，１０４は、同時にＨｉｇｈレベルとならない。即ち、任意のタイミングにおいて、何れか１つの信号のみがＨｉｇｈレベルとされる。
【００４９】
選択回路４４５は、制御パルス生成回路４４４から入力された制御パルスＳ１０２，Ｓ１０３，Ｓ１０４に基づいて、遅延回路４４１から入力されたＴＳデータＤ１２、高次フィルタ４４２から入力されたＴＳデータＤ１３、低次フィルタ４４３から入力されたＴＳデータＤ１４の内から何れかを選択し、ＴＳデータＤ４として出力する。具体的には、制御パルスＳ１０４がＨｉｇｈレベルである場合にはＴＳデータＤ１２を選択して出力し、制御パルスＳ１０２がＨｉｇｈレベルである場合にはＴＳデータＤ１３を選択して出力し、制御パルスＳ１０３がＨｉｇｈレベルである場合にはＴＳデータＤ１４を選択して出力する。
【００５０】
適応フィルタ回路４４の具体的な回路動作を、図６に示すタイムチャートを参照して説明する。同図は、適応フィルタ回路４４に係る各信号のタイムチャートを示しており、図中上から順に、切替制御信号Ｓ３、ＴＳデータＤ３、ＴＳデータＤ１２、制御パルスＳ１０２，Ｓ１０３，Ｓ１０４、選択回路４４５から出力されるＴＳデータＤ４である。
【００５１】
同図によれば、先ず、切替制御信号Ｓ３がＨｉｇｈレベルである場合、ミュート出力回路４３に入力されたＴＳデータＤ２がＴＳデータＤ３として出力される。また、制御パルスＳ１０２，Ｓ１０３はＬｏｗレベルであり、制御パルス１０４はＨｉｇｈレベルである。従って、選択回路４４５は、遅延回路４４１から入力されるＴＳデータＤ１２をＴＳデータＤ４として出力する。
【００５２】
そして、時刻ｔ11において、切替制御信号Ｓ３がＨｉｇｈレベルからＬｏｗレベルに変化すると、ＴＳデータＤ３がミュートデータに切り替えられるとともに、カウンタ４４４ａ，４４４ｂ，４４４ｃそれぞれがカウントを開始する。
【００５３】
次いで、時刻ｔ12において、カウンタ４４４ａ，４４４ｃそれぞれのカウント値が、時刻ｔ11〜ｔ12の間の期間Ｔ12に相当する値に達すると、カウンタ４４４ａが、カウント値をリセットするとともに、制御パルスＳ１０２をＬｏｗレベルからＨｉｇｈレベルに変化させる。また、カウンタ４４４ｃは、カウント値をリセットするとともに、制御パルスＳ１０４をＨｉｇｈレベルからＬｏｗレベルに変化させる。すると、選択回路４４５が、ＴＳデータＤ４として、高次フィルタ４４２から入力されるＴＳデータＤ１３に切り替えて出力する。
【００５４】
ここで、ＴＳデータＤ３は、遅延回路４４１、高次フィルタ４４２及び低次フィルタ４４３それぞれを通過（透過）することにより、所定の遅延時間Ｔａだけ遅延される。即ち、時刻ｔ11から遅延時間Ｔａだけ経過後の時刻ｔ13において、ＴＳデータＤ１２，Ｄ１３，Ｄ１４それぞれが、ＴＳデータＤ２からミュートデータに切り替わる。
【００５５】
続いて、時刻ｔ14において、カウンタ４４４ａのカウント値が、時刻ｔ12〜ｔ14の期間Ｔ24に相当する値に達するとともに、カウンタ４４４ｂのカウント値が、時刻ｔ11〜ｔ14の期間Ｔ14に相当する値に達すると、カウンタ４４４ａが、カウント値をリセットするとともに、制御パルスＳ１０２をＨｉｇｈレベルからＬｏｗレベルに変化させ、カウンタ４４４ｂが、カウント値をリセットするとともに、制御パルスＳ１０３をＬｏｗレベルからＨｉｇｈレベルに変化させる。すると、選択回路４４５が、ＴＳデータＤ４として、低次フィルタ４４３から入力されるＴＳデータＤ１４に切り替えて選択する。
【００５６】
ここで、カウンタ４４４ａ，４４４ｂ，４４４ｃそれぞれは、制御パルスＳ１０２，１０４をレベル変化させる時刻ｔ12が、ＴＳデータＤ１３がミュートデータに切り替わる時刻ｔ13より所定時間だけ前であるとともに、制御パルスＳ１０２，Ｓ１０３をレベル変化させる時刻ｔ14がこの時刻ｔ13より所定時間だけ後となり、時刻ｔ12と時刻ｔ14との間に時刻ｔ13が含まれるよう、設計されている。
【００５７】
また、時刻ｔ15において、切替制御信号Ｓ３がＬｏｗレベルからＨｉｇｈレベルに変化すると、カウンタ４４４ａ，４４４ｂ，４４４ｃそれぞれがカウント値をリセットする。
【００５８】
次いで、時刻ｔ16において、カウンタ４４４ａ，４４４ｂそれぞれのカウント値が、時刻ｔ15〜ｔ16の期間Ｔ56に相当するカウント値に達すると、カウンタ４４４ａが、カウント値をリセットするとともに、制御パルスＳ１０２を、ＬｏｗレベルからＨｉｇｈレベルに変化させる。また、カウンタ４４４ｂが、カウント値をリセットするとともに、制御パルスＳ１０３をＨｉｇｈレベルからＬｏｗレベルに変化させる。すると、選択回路４４５が、ＴＳデータＤ４として、高次フィルタ４４２から入力されたＴＳデータＤ１３に切り替えて出力する。
【００５９】
続いて、時刻ｔ15から遅延時間Ｔａだけ経過後の時刻ｔ17において、ＴＳデータＤ１２，Ｄ１３，Ｄ１４それぞれが、ミュートデータからＴＳデータＤ２に切り替わる。
【００６０】
そして、時刻ｔ18において、カウンタ４４４ａのカウント値が、時刻ｔ16〜ｔ18の期間Ｔ68に相当するカウント値に達するとともに、カウンタ４４４ｃのカウント値が、時刻ｔ15〜ｔ18の期間Ｔ58に相当する値に達すると、カウンタ４４４ａが、カウント値をリセットするとともに、制御パルスＳ１０２をＨｉｇｈレベルからＬｏｗレベルに変化させ、カウンタ４４４ｃが、カウント値をリセットするとともに、制御パルスＳ１０４をＬｏｗレベルからＨｉｇｈレベルに変化させる。すると、選択回路４４５が、ＴＳデータＤ４として、遅延回路４４１から入力されたＴＳデータＤ１２に切り替えて出力する。
【００６１】
ここで、カウンタ４４４ａ，４４４ｂ，４４４ｃそれぞれは、制御パルスＳ１０２，Ｓ１０３をレベル変化させる時刻ｔ16が、ＴＳデータＤ１２，Ｄ１３，Ｄ１４がミュートデータから切り替わる時刻ｔ17より所定時間だけ前であるとともに、制御パルスＳ１０２，Ｓ１０４をレベル変化させる時刻ｔ18がこの時刻ｔ17より所定時間だけ後となり、時刻ｔ16とｔ18との間に時刻ｔ17が含まれるよう、設計されている。
【００６２】
このように、適応フィルタ回路４４から出力されるＴＳデータＤ４は、該適応フィルタ回路４４に入力されるＴＳデータＤ３に対して、ミュートデータと切り替わる時刻ｔ13を含む時刻ｔ12〜ｔ14、及び、時刻ｔ17を含む時刻ｔ16〜ｔ18それぞれの時間範囲で、ＴＳデータＤ３が高次フィルタ４４２を通過したＴＳデータＤ１４となり、ミュートデータに切り替えられている時刻ｔ14〜ｔ16の時間範囲では、低次フィルタ４４３を通過したＴＳデータＤ１３データとなっている。
【００６３】
以上のように、上述した実施形態によれば、ＯＦＤＭ方式で変調された地上波デジタルテレビ放送の電波を受信する受信装置１において、デマルチプレクサ部４０の適応エラー処理回路４２は、エラー判定回路３６で生成されたエラーフラグＳ２が受信信号中にエラー（誤り）が有ることを示し、且つ、誤り率算出回路３４で算出された受信信号のＢＥＲ（ビットエラーレイト）Ｓ１の値が予め定められた基準値４２２以上の場合に、ミュートデータに切り替えて出力させる切替制御信号Ｓ３を出力する。そして、ミュート出力回路４３は、適応エラー処理回路４２から入力される切替制御信号Ｓ３がミュートデータの出力を指示する信号である間、ＴＳデータＤ３として、ＴＳデータＤ２からミュートデータに切り替えて出力する。
【００６４】
このことにより、単に受信信号中の誤りの有無のみだけではなく、誤りの程度を表すＢＥＲ（Ｓ１）の値を考慮してデータ信号をミュートデータに切り替えて出力することができる。また、基準値４２２の値を受信装置１で許容される適当な値に設定することで、データ信号を効率良く利用することが可能となる。
【００６５】
また、適応フィルタ回路４４は、切替制御信号Ｓ３に基づき、ミュート出力回路４３によるミュートデータとの切替時にはＴＳデータＤ３を高次フィルタ４４２に通過させたＴＳデータＤ１３をＴＳデータＤ４として出力し、ミュートデータが出力されている間は、ＴＳデータＤ３を低次フィルタ４４３に通過させたＴＳデータＤ１４をＴＳデータＤ４として出力する。
【００６６】
このことにより、ＴＳデータＤ２とミュートデータとの切替時には、高次フィルタ４４２を通過させたＴＳデータＤ１３が出力されるので、出力されるＴＳデータＤ４が不連続なデータとなることが抑制され、再生される映像及び音声の乱れの抑制が実現される。更に、ＴＳデータＤ４としてミュートデータが出力されている間は、低次フィルタ４４３を通過させたＴＳデータＤ１４がＴＳデータＤ４として出力されるといったように、次数が異なるフィルタを通過させたデータ信号が順に選択されるので、ミュートデータとの切り替えに伴う出力データの不連続性がより効率良く抑制される。
【００６７】
［変形例］
尚、上述した実施形態では、制御パルス生成回路４４４はカウンタ１，２，３により構成されることとしたが、例えば図７に示す回路構成としても良い。同図によれば、制御パルス生成回路４４６は、遅延回路４４６ａ，４４６ｂと、論理ゲート４４６ｃ，４４６ｄ，４４６ｅとを備えて構成される。
【００６８】
遅延回路４４６ａは、入力された切替制御信号Ｓ３を、図６に示した時刻ｔ11〜ｔ14の期間Ｔ14だけ遅延させて出力する。遅延回路４４６ｂは、入力された切替制御信号Ｓ３を、図６に示した時刻ｔ11〜ｔ12までの期間Ｔ12だけ遅延させて出力する。
【００６９】
論理ゲート４４６ｃは、遅延回路４４６ａ，４４６ｂそれぞれから入力された信号の否定の論理和を演算し、演算結果を制御パルスＳ１０３として出力する。論理ゲート４４６ｄは、遅延回路４４６ａ，４４６ｂそれぞれから入力された信号の排他的論理和を演算し、演算結果を制御パルスＳ１０２として出力する。論理ゲート４４６ｅは、遅延回路４４６ａ，４４６ｂそれぞれから入力された信号の論理和を演算し、演算結果を制御パルスＳ１０４として出力する。
【００７０】
また、上述した実施形態では、地上波デジタルテレビ放送の電波を受信する受信装置に適用する場合を例として説明したが、本発明の適用可能な製品がこれに限定されるものではない。例えば、ＤＶＤ−Ｖｉｄｅｏ、ＢＳデジタル放送、デジタルＣＡＴＶ等の信号から復調されたＴＳデータを本実施形態におけるデマルチプレクサ部に入力することとしても良い。
【図面の簡単な説明】
【００７１】
【図１】受信装置のブロック構成図。
【図２】適応エラー処理回路の詳細な回路構成図。
【図３】適応エラー処理回路に係る各信号のタイムチャート。
【図４】適応フィルタ回路の詳細な回路構成図。
【図５】制御パルス生成回路の詳細な回路構成図。
【図６】適応フィルタ回路に係る各信号のタイムチャート。
【図７】制御パルス生成回路の他の回路構成図。
【図８】従来の受信装置のブロック構成図。
【図９】ＴＳパケットデータの構造図。
【符号の説明】
【００７２】
１，３  受信装置
１０  アンテナ
２０  チューナ部
３０，６０  復調部
３１  ＡＤＣ
３２  直交検波回路
３３  ＦＦＴ回路
３４  誤り率算出回路
３５  復調回路
３６  エラー判定回路
４０，７０  デマルチプレクサ部
４１  同期処理回路
４２  適応エラー処理回路
４２１  比較器
４２２  基準値
４２３  論理回路
４３  ミュート出力回路
７１  同期回路
７２  エラー認定回路
７３  遅延回路
７４  切替回路
７５  フィルタ回路
４４  適応フィルタ回路
４４１  遅延回路
４４２  高次フィルタ
４４３  低次フィルタ
４４４  制御パルス生成回路
４４４ａ，４４４ｂ，４４４ｃ  カウンタ
４４５  選択回路
５０  デコーダ回路
【図１】
2006261760.tif 000003
【図２】
2006261760.tif 000004
【図３】
2006261760.tif 000005
【図４】
2006261760.tif 000006
【図５】
2006261760.tif 000007
【図６】
2006261760.tif 000008
【図７】
2006261760.tif 000009
【図８】
2006261760.tif 000010
【図９】
2006261760.tif 000011